(57)【要約】【課題】ＩＦ帯域を広帯域と狭帯域のいずれに変化させた場合においても、現実の受信状態の良い局と悪い局の判別を正確に行うことができるラジオ受信機及びラジオ受信の選局方法を提供する。【解決手段】受信アンテナ１からの受信信号は、受信部２に入力され、Ｆ／Ｅ制御部３からの制御指令によってＩＦ帯域制御が行われる。受信信号は、ＩＦ帯域切換部５に入力され、受信部２からの制御信号に基づいて広帯域部６と狭帯域部７のいずれかの入力端に選択的に供給される。広帯域部６と狭帯域部７のそれぞれの出力はフィルタ８とＩＦカウンタ９に接続されＩＦカウンタ９のカウント出力が、Ｆ／Ｅ制御部３の局検出部１０に供給される。フィルタ８の出力系信号は検波部１１を介してノイズ検出部１３に供給されると共に、ノイズ検出部１３に直接に供給され、受信レベル検出部１２供給され、ノイズ検出部１３の出力は、Ｆ／Ｅ制御部３のノイズ検出部１４に供給される。【選択図】　　　図１
2004072304.tif 000002
【特許請求の範囲】
【請求項１】
ＩＦ回路部におけるＩＦ帯域を複数の帯域に切り換え得るＩＦ帯域切換部と、
前記ＩＦ回路部における受信ノイズレベル値を検出するノイズ検出部と、
前記ＩＦ回路部のＩＦ帯域が前記ＩＦ帯域切換部によって切り換えられる都度に前記ノイズ検出部の出力を判定し、当該受信ノイズレベル値の少ない方に対応する前記ＩＦ帯域の側に切り換えて得られたＩＦ出力を選局出力とするように制御する受信部とを具備することを特徴とするラジオ受信機。
【請求項２】
前記ＩＦ帯域切換部は、広帯域と狭帯域の２つに切り換え得るように構成することを特徴とする請求項１に記載のラジオ受信機。
【請求項３】
前記ＩＦ帯域切換部は、広帯域と狭帯域と少なくとも１つの中間帯域に切り換え得るように構成することを特徴とする請求項１に記載のラジオ受信機。
【請求項４】
前記ＩＦ帯域切換部によって前記ＩＦ回路部のＩＦ帯域が切り換えられたときに、所定の待機時間を有して次回の切り換えを行うように制御する切換制御部を付加して構成することを特徴とする請求項１に記載のラジオ受信機。
【請求項５】
前記ＩＦ帯域切換部は、前回にいずれの帯域に切り換えられたかを記憶し、次回に切り換える帯域に対応する待ち時間を短縮する機能を有して構成することを特徴とする請求項１に記載のラジオ受信機。
【請求項６】
受信フロントエンドの出力が入力されるＩＦ回路部におけるＩＦ帯域を複数の帯域に切り換える第１の動作ステップと、
前記第１の動作ステップで切り換えられる都度に前記ＩＦ回路部の受信ノイズレベル値を検出する第２の動作ステップと、
前記第２の動作ステップによって得られた複数の受信ノイズレベル値の内の少ない方に対応するＩＦ帯域に切り換えて選局出力とする第３の動作ステップとを有することを特徴とするラジオ受信の選局方法。
【発明の詳細な説明】
【０００１】
【発明の属する技術分野】
本発明は、ラジオ受信機及びラジオ受信の選局方法に関する。
【０００２】
【従来の技術】
従来のラジオ受信機は、ＩＦ帯域を広帯域と狭帯域に可変できるように構成され、ラジオ放送の受信中に隣接妨害ノイズの量やオーバーディビエーションの程度を検出し、その結果に応じてＩＦ帯域を切り換えることによって受信状態を良好なものとしている。
【０００３】
ラジオ放送電波のパワースペクトルは、ある範囲の周波数において、受信アンテナに向けて照射されるラジオ周波数信号の強度から成り、送信中のほとんどのエネルギーは割り当てられたチャネルに留まるものの、全てのチャネルを効率的に使用するということは、照射エネルギーのいくらかは割り当てられたチャネルの外側の周波数範囲、即ち他のチャンネルの放送電波にある可能性があるということを意味している。個々の送信者への周波数チャネルの割り当ては、地理的位置と、隣接チャネルと他のチャンネルとにおける伝送波の混信を最小とする別の要素とに基づいて決定される。
【０００４】
しかし、隣接チャンネル及び／または他のチャンネルの混信がしばしば発生するために、隣接チャンネル又は他のチャンネルにおける強力な信号が、所望のチャンネルにおいて所望の信号の受信を妨害する信号成分を発生する状況において、ラジオ受信機は適切に作動することが出来なければならず、加えて、他のチャンネルよりも更に離間したチャンネル及び放送帯域に対応していない電波発生源でさえも、有意な混信源となり得る。
【０００５】
そこで、種々の方法により隣接チャンネル等からの混信の存在を検出し、受信機の帯域幅を狭めたり、所望のチャネル用の受信通過帯域を変化させることにより混信作用を減少させようとするラジオ受信機が知られている。混信チャネルの存在を検出するには、フィルターを用いて分離したり受信機を再同調したりするのが一般的であり、ＲＦ信号やＩＦ信号をアナログ信号の形態で信号処理することが従前から行われているが、近年はこれらの信号の一部もしくは大部分をデジタル信号処理（ＤＳＰ）することによって良好な特性を得ることができるようになってきた。
【０００６】
さて、ＩＦ帯域の切り換えを行うための動作ステップは、例えば、図３に示すフローチャートのように、シーク動作が開始されると、先ずステップＳ８のようにＩＦ回路の帯域を広帯域（ワイド）側に設定し、ステップＳ９で所定時間の待機がなされ、次のステップＳ１０でシーク周波数を設定し、次のステップＳ１１で受信局の有無が判定される。
【０００７】
ステップＳ１１で受信局が無いと判定された場合には先程のステップＳ１０に戻されて現周波数が別のシーク周波数に変更された後にステップＳ１１が再び実行され、受信局が有りと判定された場合には、次のステップＳ１２に進む。
【０００８】
ステップＳ１２は、ステップＳ８によってＩＦ帯域が広帯域にされている状態でノイズ検出を行うもので、次ステップのステップＳ１３でノイズチェックが行われノイズが大きい場合には正規の選局ができないと判断し、ステップＳ１０に戻され、別のシーク周波数に設定された後にステップＳ１１が再び実行され、受信局が有りと判定された場合には、次のステップＳ１２に進んだ後にステップＳ１３に進み、前述と同様にノイズチェックが行われノイズが大きい場合には正規の選局ができないと判断し、ステップＳ１０に戻され、別のシーク周波数に設定され、ステップＳ１３でノイズが小さいと判定された場合には、所望局の選局がＯＫとされて一連の選局動作が完了する。
【０００９】
【発明が解決しようとする課題】
従来のラジオ受信機及びラジオ受信の選局方法は、ＩＦ帯域を広帯域と狭帯域のいずれかに切り換える動作は、受信中にのみ行われていて、シーク時の選局を行っているときには特に行っていない。
【００１０】
このために、一連のシーク処理において、ＩＦ帯域を広帯域にすると隣接妨害ノイズは有るが、ＩＦ帯域を狭帯域にすると受信状態の良い局であるに拘わらずに選局ロックできず、逆にＩＦ帯域を狭帯域にするとオーバーディビエーションの局等でＩＦ帯域を広帯域にしても受信状態の良い局であるに拘わらずに選局ロックできなくなってしまうという問題がある。
【００１１】
一方、ＩＦ帯域を広帯域にして受信局を検出した後にそのノイズレベルを判定することによって受信状態の良い局であるか否かを判断する場合には、ＩＦ帯域を広帯域にしているので、隣接妨害が無ければ受信状態が良い局であると判断できるものの、隣接妨害があった場合には現実には受信状態の良い局であるに拘わらずに悪い局であると判断されてしまうという問題がある。
【００１２】
そこで、本発明の目的は、ＩＦ帯域を広帯域と狭帯域のいずれに変化させた場合においても、現実の受信状態の良い局と悪い局の判別を正確に行うことができるラジオ受信機及びラジオ受信の選局方法を提供することにある。
【００１３】
【課題を解決するための手段】
前記課題を解決するために、本発明によるラジオ受信機は、次に記載するような特徴的な構成を採用している。
【００１４】
（１）ＩＦ回路部におけるＩＦ帯域を複数の帯域に切り換え得るＩＦ帯域切換部と、
前記ＩＦ回路部における受信ノイズレベル値を検出するノイズ検出部と、
前記ＩＦ回路部のＩＦ帯域が前記ＩＦ帯域切換部によって切り換えられる都度に前記ノイズ検出部の出力を判定し、当該受信ノイズレベル値の少ない方に対応する前記ＩＦ帯域の側に切り換えて得られたＩＦ出力を選局出力とするように制御する受信部とを具備するラジオ受信機。
【００１５】
（２）前記ＩＦ帯域切換部は、広帯域と狭帯域の２つに切り換え得るように構成する上記（１）のラジオ受信機。
【００１６】
（３）前記ＩＦ帯域切換部は、広帯域と狭帯域と少なくとも１つの中間帯域に切り換え得るように構成する上記（１）のラジオ受信機。
【００１７】
（４）前記ＩＦ帯域切換部によって前記ＩＦ回路部のＩＦ帯域が切り換えられたときに、所定の待機時間を有して次回の切り換えを行うように制御する切換制御部を付加して構成する上記（１）のラジオ受信機。
【００１８】
（５）前記ＩＦ帯域切換部は、前回にいずれの帯域に切り換えられたかを記憶し、次回に切り換える帯域に対応する待ち時間を短縮する機能を有して構成する上記（１）のラジオ受信機。
【００１９】
前記課題を解決するために、本発明によるラジオ受信の選局方法は、次に記載するような特徴的な動作ステップを有している。
【００２０】
（６）ＩＦ回路部におけるＩＦ帯域を複数の帯域に切り換える第１の動作ステップと、
前記第１の動作ステップで切り換えられる都度に前記ＩＦ回路部の受信ノイズレベル値を検出する第２の動作ステップと、
前記第２の動作ステップによって得られた受信ノイズレベル値の複数の内の少ない方に対応するＩＦ帯域に切り換えて選局出力とする第３の動作ステップとを有するラジオ受信の選局方法。
【００２１】
【発明の実施の形態】
以下、本発明の一実施の形態について図面を用いて詳細に説明する。先ず、第１の実施の形態について図１ないし図２を用いて説明する。なお、本実施形態はＦＭ放送電波を受信するラジオ受信機に本発明を適用した例である。
【００２２】
図１に回路構成を示すラジオ受信機は、ＦＭラジオ放送を受信するための受信機であり、受信アンテナ１で得られた受信信号は、受信部２に入力され、Ｆ／Ｅ制御部３からの制御指令によってＩＦ帯域制御が行われる。
【００２３】
受信アンテナ１で得られた受信信号は、ＩＦ帯域切換部５に入力され、受信部２からの制御信号に基づいて広帯域部６と狭帯域部７のいずれかの入力端に選択的に供給される。広帯域部６と狭帯域部７のそれぞれの出力はフィルタ８とＩＦカウンタ９に接続されＩＦカウンタ９のカウント出力が、Ｆ／Ｅ制御部３の局検出部１０に供給される。
【００２４】
フィルタ８の出力系信号は検波部１１を介してノイズ検出部１３に供給されると共に、ノイズ検出部１３に直接に供給され、Ｆ／Ｅ制御部３の受信レベル検出部１２供給される。ノイズ検出部１３の出力は、Ｆ／Ｅ制御部３のノイズ検出部１４に供給される。
【００２５】
従って、本実施形態のラジオ受信機におけるＩＦ帯域制御の動作は、図２に示すフローチャートのように、シーク動作が開始されることに伴ってステップＳ１が実行され、シーク周波数の設定が上限側もしくは下限側の端部の周波数をＦ／Ｅ制御部３に設定し、次のステップＳ２で受信局の有無が、受信レベルの大小を受信レベル検出部１２で検出することによって判定される。
【００２６】
ステップＳ２で受信局が無しと判定された場合には、ステップＳ１に戻され、直前に設定されていた周波数の次の周波数ステップ値に変更され、ステップＳ２にて受信局が有りと判定されたときにステップＳ３に進む。
【００２７】
ステップＳ３は、ノイズ検出処理を開始するもので、次のステップＳ４でＩＦ帯域切換部５がＦ／Ｅ制御部３からの動作制御指令によって広帯域部６の側に切り換えられ、次のステップＳ５でウェイトし、次のステップＳ６でノイズ検出処理が開始され、次のステップＳ７でノイズ比較が行われる。
【００２８】
ステップＳ７によるノイズ比較は、以前にステップＳ４によって切り換えられている広帯域部６と狭帯域部７のそれぞれに対応するノイズ量を比較するもので、両方、即ち広帯域部６と狭帯域部７の両方でのＩＦ帯域でノイズが大きい場合には、受信局が悪い局であると判断し、最初のステップＳ１に戻されて別のシーク周波数に設定された後にステップＳ２以降が実行される。
【００２９】
一方、ステップＳ７による判定でどちらかの、即ち、広帯域部６と狭帯域部７のいずれかに対応するＩＦ帯域でのノイズが小さい場合には、受信局が良い局であると判断して、当該の受信局の選局がＯＫとされて一連の選局動作が完了する。
【００３０】
従って、従来のラジオ受信機においては、ＩＦ帯域を広帯域の側に切り換えると隣接妨害ノイズはあるが、ＩＦ帯域を狭帯域の側にすると受信状態の良い局で選局ロックが掛からず、逆にＩＦ帯域を狭帯域の側にするとオーバーディビエーションの局でＩＦ帯域を広帯域にしても良い局に選局ロックが掛からずという問題が解消される。
【００３１】
なお、本発明は前述の形態に限定されること無く、本発明の要旨を逸脱しない範囲内でもって種々の変形形態を採ることができることは勿論であり、ＦＭ放送の受信機に適用できるのみならず、ＡＭ放送の受信機にも適用でき、また、一連の信号処理は、アナログ的に行ったりデジタル的に行ったりもしくは混在して行うことができる。
【００３２】
また、ＩＦ帯域切換部は、広帯域と狭帯域の２つに切り換え得るように構成されているが、当該のＩＦ帯域切換部を、広帯域と狭帯域と少なくとも１つの中間帯域に切り換え得るように構成するようにすればよりきめの細かい選局判断を行うことができる。
【００３３】
このＩＦ帯域切換部は、ＩＦ回路部のＩＦ帯域が切り換えられたときに、所定の待機時間を有して次回の切り換えを行うように制御する切換制御部を付加して構成することによって、シークに必要とする動作ステップを能率的に配分することができる。
【００３４】
さらに、ＩＦ帯域切換部は、前回にいずれの帯域に切り換えられたかを記憶し、次回に切り換える帯域に対応する待ち時間を短縮する機能を有して構成することによって、シークに必要とする総時間を著しく短縮することができ高速で選局を行うことができる。
【００３５】
以上、本発明によるラジオ受信機及びラジオ受信の選局方法の好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。
【００３６】
【発明の効果】
以上の説明で明らかなように、本発明によるラジオ受信機及びラジオ受信の選局方法は、受信中に受信状態を良くするために切り換えられているＩＦ帯域の制御することによって、良い局であるに拘わらず従来は悪い局と判断されていた局を良い局と判断することができ、ＩＦ帯域を広帯域と狭帯域のいずれに変化させた場合においても、現実の受信状態の良い局と悪い局の判別を正確に行うことができるラジオ受信機及びラジオ受信の選局方法を提供することができる。
【図面の簡単な説明】
【図１】本発明の一実施の形態によるラジオ受信機の構成を機能ブロックを主として表現した回路ブロック図である。
【図２】図１に示されるラジオ受信機の回路ブロックのシーク動作を説明するためのフローチャートである。
【図３】従来のラジオ受信機におけるシーク動作を説明するためのフローチャートである。
【符号の説明】
１　受信アンテナ
２　受信部
３　Ｆ／Ｅ制御部
４　受信制御部
５　ＩＦ帯域切換部
６　広帯域部
７　狭帯域部
８　フィルタ
９　ＩＦカウンタ
１０　局検出部
１１　検波部
１２　受信レベル検出部
１３　ノイズ検出部
１４　ノイズ検出部
【図１】
2004072304.tif 000003
【図２】
2004072304.tif 000004
【図３】
2004072304.tif 000005